(57)【要約】【課題】ＬＥＤ素子からの照明光によって展示用物品や背面パネルを効率よく的確に照明することができ、もって物品視認者の視覚に訴える展示効果を得ることができる展示用物品の照明装置及びこれを備えた自動販売機を提供する。【解決手段】展示スペースに展示された展示用物品を所定の傾斜角度で照明する第１の照明部と、展示用物品の背面側に配設される背面パネルを所定の傾斜角度で照明する第２の照明部と、を有し、第１の照明部と第２の照明部とは、所定の角度で一体的に構成された展示用物品の照明装置とする。【選択図】図３
2008027034.tif 000002
【特許請求の範囲】
【請求項１】
展示スペースに展示された展示用物品を所定の傾斜角度で照明する第１の照明部と、
前記展示用物品の背面側に配設される背面パネルを所定の傾斜角度で照明する第２の照明部と、を有し、
前記第１の照明部と前記第２の照明部とは、所定の角度で一体的に構成されたことを特徴とする展示用物品の照明装置。
【請求項２】
前記第１の照明部及び前記第２の照明部は、それぞれ所定の数の発光ダイオードで構成されていることを特徴とする請求項１に記載の展示用物品の照明装置。
【請求項３】
前記展示用物品は光透過性部材によって形成されている請求項１又は２に記載の展示用物品の照明装置。
【請求項４】
展示用物品を展示するための内部空間を有し、前記展示用物品に対応する販売用物品を払い出すための物品払出機構を内蔵する販売機本体と、
前記販売機本体内に配設され、前記展示用物品を照明する請求項１又は２に記載の照明装置と、
を備えた自動販売機。
【請求項５】
前記照明装置の前記第１の照明部からの照明光を受けて物品視認者側に出射する光透過性部材からなる押釦を備えた請求項４に記載の自動販売機。
【請求項６】
前記照明装置の前記第１の照明部からの照明光を受けて物品視認者側に出射する光透過性部材からなる表示部を備えた請求項４に記載の自動販売機。
【発明の詳細な説明】
【技術分野】
【０００１】
本発明は、缶飲料等の展示用物品（商品見本）を照明する展示用物品の照明装置及びこれを備えた自動販売機に関する。
【背景技術】
【０００２】
缶飲料や煙草等の物品は、自動販売機内に多数個貯蔵され、購買者による代金投入後に１個ずつ販売される。このような自動販売機は、購買者の目に止まるようにその表面色彩・装飾に工夫が施され、物品を広く宣伝したり、集客性を高めたりすることができるような場所に設置される。
【０００３】
ところで、自動販売機においては、販売用物品のサンプル（合成樹脂製の商品見本）や写真等を展示する展示スペースとしての内部空間が物品視認者（購買者）の視認され易いような位置に配置されている。そして、夜間には照明装置を点灯してサンプル（展示用物品）や写真等を照明し、販売用物品の内容についても購買者等に認識され易いような工夫が施されている。
【０００４】
従来、この種の自動販売機の照明装置には、サンプル上側及びサンプル背面側から展示用物品を照明する蛍光ランプからなる照明素子を備えたものが提案されている。このような展示用物品の照明装置においては、照明素子が点灯すると、この点灯光が展示用物品の表面及びその周辺が照明される。このような照明装置では、蛍光ランプに内封されている水銀ガスが有害であるため、蛍光ランプが不用となった場合に産業廃棄物としての処理を必要とする。また、蛍光ランプは寿命が短く、ランニングコストが嵩むといった種々の問題を有する。
【０００５】
そこで、上述した不具合を解決するために、照明素子として発光ダイオード（Light Emitting Diode:LED）を用いた照明装置も従来から提案されている（例えば特許文献１）。これは、展示用物品の背面側に半透明板を配置するとともに、この半透明板の周囲に複数のＬＥＤを配置したものである。
【０００６】
このような照明装置においては、複数のＬＥＤが光を発すると、これら光が半透明板（背面パネル）に導入され、この半透明板の物品視認者側面から展示用物品に出射される。
【特許文献１】特開２００２−３５８５６０号公報
【発明の開示】
【発明が解決しようとする課題】
【０００７】
しかし、特許文献１の照明装置によると、展示用物品の背面側に配置された半透明板の周囲にＬＥＤが配置され、展示用物品を背面側から照明するだけであるので、これらＬＥＤからの照明光によって展示用物品を効率よく的確に照明することができず、物品視認者の視覚に訴える展示効果を得ることができないという問題があった。
【０００８】
従って、本発明の目的は、ＬＥＤ素子からの照明光によって展示用物品や背面パネルを効率よく的確に照明することができ、もって物品視認者の視覚に訴える展示効果を得ることができる展示用物品の照明装置及びこれを備えた自動販売機を提供することにある。
【課題を解決するための手段】
【０００９】
［１］本発明は、上記目的を達成するために、展示スペースに展示された展示用物品を所定の傾斜角度で照明する第１の照明部と、前記展示用物品の背面側に配設される背面パネルを所定の傾斜角度で照明する第２の照明部と、を有し、前記第１の照明部と前記第２の照明部とは、所定の角度で一体的に構成されたことを特徴とする展示用物品の照明装置を提供する。
［２］  前記第１の照明部及び前記第２の照明部は、それぞれ所定の数の発光ダイオード列で構成されていることを特徴とする上記［１］に記載の展示用物品の照明装置であってもよい。
［３］また、前記展示用物品は光透過性部材によって形成されている上記［１］又は［２］に記載の展示用物品の照明装置であってもよい。
［４］本発明は、上記目的を達成するために、展示用物品を展示するための内部空間を有し、前記展示用物品に対応する販売用物品を払い出すための物品払出機構を内蔵する販売機本体と、前記販売機本体内に配設され、前記展示用物品を照明する上記［１］に記載の照明装置、を備えた自動販売機を提供する。
［５］前記照明装置の前記第１の照明部からの照明光を受けて物品視認者側に出射する光透過性部材からなる押釦を備えた上記［４］に記載の自動販売機であってもよい。
［６］また、前記照明装置の前記第１の照明部からの照明光を受けて物品視認者側に出射する光透過性部材からなる表示部を備えた上記［４］に記載の自動販売機であってもよい。
【発明の効果】
【００１０】
本発明によると、ＬＥＤ素子からの照明光によって展示用物品や背面パネルを効率よく的確に照明することができ、もって物品視認者の視覚に訴える展示効果を得ることができる展示用物品の照明装置及びこれを備えた自動販売機を提供することができる。
【発明を実施するための最良の形態】
【００１１】
［実施の形態］
図１は、本発明の実施の形態に係る展示用物品の照明装置を備えた自動販売機の全体を示す正面図である。
【００１２】
図２は、本発明の実施の形態に係る展示用物品の照明装置を備えた自動販売機の全体を示すブロック図である。
【００１３】
図３は、本発明の実施の形態に係る展示用物品の照明装置を説明するために示す図であり、（ａ）は、展示スペースの前面側から見た正面図であり、（ｂ）は、同じく展示スペースを側面側から見た断面図である。
【００１４】
図４は、本発明の実施の形態に係る展示用物品の照明装置の外観を示す斜視図である。
〔自動販売機の全体構成〕
【００１５】
図１において、自動販売機１は、缶飲料の販売用物品を販売するための販売機本体２と、販売用物品に対応する照明対象としての複数の展示用物品Ｂを照明する照明装置３（図２及び図３に示す）とから大略構成されている。
【００１６】
複数の展示用物品Ｂは、図１に示すように、複数（９群）の展示用物品群ｂ１，ｂ２，…，ｂ９（実施形態では展示用物品群ｂ１，ｂ２，…，ｂ９がそれぞれ４個の展示用物品からなる）に区分して配置され、後述する背面パネル２２の物品視認者側にステージ２５を介して所定の位置に保持されている。
【００１７】
展示用物品Ｂは、図３（ａ）及び（ｂ）に示すように、販売用物品を示す情報が表面に印刷表示されたプラスチック製の光透過性部材からなる半円筒または円筒によって形成されている。なお、展示用物品Ｂとしては、半円筒または円筒の表面に印刷表示する代わりに、その印刷表示内容と同一の情報が表示されたシールを貼付したものでもよい。販売用物品（容器）が光透過性部材によって形成されている場合には、展示用物品Ｂとして販売用物品を展示してもよい。また、販売用物品には、缶飲料の他に煙草やカップ麺等が用いられる。
【００１８】
（販売機本体２の構成）
販売機本体２は、図２に示すように、外装体としての筐体４と、この筐体４内（貯蔵部）に貯蔵する販売用物品を代金と引き換えに外部に払い出すための物品払出ユニット（物品払出機構）５と、この物品払出ユニット５及び照明装置３を駆動制御する制御ユニット６とを備えている。
【００１９】
（筐体４の構成）
筐体４は、図１に示すように、前方に開口する箱体４Ａ及び箱体４Ａの前方開口部を開閉する扉体４Ｂを有し、全体が略矩形箱によって形成されている。
【００２０】
箱体４Ａ内には、照明装置３、物品払出ユニット５、及び、制御ユニット６等を収容するための収容空間（図示せず）が形成されている。扉体４Ｂは、箱体４Ａに回動自在に枢支されている。
【００２１】
扉体４Ｂの前面上部には、前面上部カバーとしての光透過性部材からなる前面パネル７（電照板）が配設されている。前面パネル７の前面部には、外部に露出する光透過性部材からなる物品選択用の押釦８が複数の展示用物品Ｂに対応して複数個配設されている。前面パネル７と背面パネル２２との間には、展示用物品Ｂを展示するための展示スペース（内部空間）９が形成されている。
【００２２】
扉体４Ｂの前面下部には、購買者が販売用物品の代金としての紙幣・硬貨をそれぞれ挿入・投入するための紙幣挿入口１２・硬貨投入口１３と、釣銭を返却するための釣銭返却口１４と、購買者が販売用物品を取り出すためのフラッパ付きの物品取出口１５（フラッパは図示せず）とが配設されている。また、扉体４Ｂの前面下部には、紙幣挿入口１２・硬貨投入口１３に挿入・投入された紙幣・硬貨を購買者の操作によって返却するための返却レバー１６と、釣銭切れや挿入紙幣・投入硬貨に関する情報を表示するＬＣＤ（Liquid Crystal Display）等の表示器１７と、扉体４Ｂの開動作をロック状態とするためのドアロック１８とが取り付けられている。なお、符号１００は、販売物品等の情報を宣伝するための広告スペースである。
【００２３】
（物品払出ユニット５の構成）
物品払出ユニット５は、図２に示すように、販売用物品を貯蔵する物品貯蔵部（図示せず）を有し、箱体４Ａの収容空間に複数個収容され、かつ制御ユニット６に接続されている。そして、紙幣挿入口１２・硬貨投入口１３に対する紙幣・硬貨の挿入・投入による代金と引き換えに販売用物品を払い出すように構成されている。
【００２４】
（制御ユニット６の構成）
制御ユニット６は、図２に示すように、挿入紙幣及び投入硬貨を処理して貨幣処理信号及び釣銭処理信号を発生する貨幣・釣銭処理装置（図示せず）を有し、物品払出ユニット５と同様に箱体４Ａの収容空間に収容されている。
【００２５】
（照明装置３の構成）
照明装置３は、展示用物品群ｂ１，ｂ２，…，ｂ９にそれぞれ対応して、複数の照明装置３Ａ，３Ｂ，…，３Ｉ（照明装置３Ａのみ図示）からなり、展示スペース９内において、背面パネル２２の所定の位置に取り付けられ、かつ制御ユニット６に接続されている。複数の照明装置３Ａ，３Ｂ，…，３Ｉは同一の構成であるため、一の照明装置３Ａのみについて説明する。
【００２６】
照明装置３Ａは、展示用物品Ｂを所定の傾斜角度で照明する第１の照明部と、展示用物品Ｂの背面側に配設される背面パネル２２を所定の傾斜角度で照明する第２の照明部とを有して構成されている。
【００２７】
照明装置３Ａは、図３（ａ）及び（ｂ）に示すように、取付けベース材３０と、この取付けベース材３０の第１の取付け部３０ａに取り付けられたＬＥＤ４０を備える第１の基板２０と、第２の取付け部３０ｂに取り付けられたＬＥＤ４１を備える第２の基板２１とを有し、それぞれ第１の照明部、第２の照明部として機能する。また、これらを覆う透光性のカバー２３を有して構成されている。なお、カバー２３を有しない構成であってもよい。
【００２８】
取付けベース材３０は、第１の取付け部３０ａとこの第１の取付け部３０ａと所定の角度を有して形成された第２の取付け部３０ｂを有している。第１の取付け部３０ａは、照明装置３Ａが所定の位置に配設された場合に、第１の基板２０に実装されたＬＥＤ４０が展示用物品Ｂを効果的に照明できる傾斜角度で形成されている。本実施の形態に係る照明装置では、上方向から前面パネル７方向へ略３０°の傾斜角度が設定されている。尚、第１の基板２０に実装されたＬＥＤが効果的に照明する対象は、上記示した展示用物品Ｂだけではなく、照明装置３Ａの前方に位置する表示部２６、物品選択用の押釦８を含めてもよく、これらの照明効果を考慮して第１の取付け部３０ａの傾斜角度を設定してもよい。
【００２９】
第２の取付け部３０ｂは、照明装置３Ａが所定の位置に配設された場合に、第２の基板２１に実装されたＬＥＤ４１が背面パネル２２を効果的に照明できる傾斜角度で形成されている。本実施の形態に係る照明装置では、下方向から背面パネル２２方向へ略４５°の傾斜角度が設定されている。
【００３０】
第１の基板２０には、展示用物品Ｂの数に対応した数のＬＥＤ４０が実装されている。展示用物品Ｂの数に対応したＬＥＤ４０の個数は、必要な明るさ、照明効果を考慮して設定されるが、本実施の形態に係る照明装置３Ａでは、４個の展示用物品からなる展示用物品群ｂ１の展示用物品数及び必要光量等を考慮して、図４に示すように、８個とした。尚、ＬＥＤ４０の個数はこれに限られず、また、他の照明装置３Ｂ〜３Ｉにおいても、それぞれの展示用物品数等を考慮してＬＥＤ４０の個数をそれぞれ設定することができる。また、第１の基板２０には、ＬＥＤ４０から出射する光が展示用物品Ｂ、押釦８及び表示部２６に効率的に照射されるよう、リフレクトケース２７が取り付けられている。リフレクトケース２７は、ＬＥＤ４０から出射する光が、主に横方向へ無駄に照射されることを抑制するためのものであり、効率を上げるためにその表面がミラー面等の高反射率で形成されていてもよい。
【００３１】
第２の基板２１には、背面パネル２２の照明効果を考慮して、所定の個数のＬＥＤ４１が実装されている。ＬＥＤ４１の個数は、背面パネル２２に必要な明るさ、照明効果を考慮して設定されるが、本実施の形態に係る照明装置３Ａでは、図４に示すように、１２個とした。尚、ＬＥＤ４１の個数はこれに限られず、また、他の照明装置３Ｂ〜３Ｉにおいても、それぞれの照明効果等を考慮してＬＥＤ４１の個数をそれぞれ設定することができる。
【００３２】
尚、第１の基板２０と第２の基板２１は、一体として、同じ角度で取付けベース材３０に取り付けられてもよい。また、第１の基板２０及び第２の基板２１は、制御ユニット６にコネクタ等を介して接続されている。
【００３３】
ＬＥＤ４０、４１は、青色ＬＥＤを蛍光体により波長変換して白色を発光可能に構成されている。あるいは、それぞれ互いに異なる色光を発する３種類のＬＥＤ素子（赤色ＬＥＤ素子，緑色ＬＥＤ素子及び青色ＬＥＤ素子）を有するＬＥＤからなり、赤色光，緑色光あるいは青色光のいずれかの単色光を、これら２種の単色光を混合してなる組み合わせの色光を、また３種の単色光を混合してなる白色光をそれぞれ発光可能に構成されている。本実施の形態に係る照明装置３Ａでは、上記の３種類のＬＥＤ素子が封入された面実装チップタイプのＬＥＤを使用したが、これに限られず、また、他の照明装置３Ｂ〜３Ｉにおいても、それぞれの照明効果等を考慮して、上記示した以外の入手可能なＬＥＤであれば使用可能である。
【００３４】
ベース１９は、展示スペース９内の最後方に配置され、背面パネル２２が所定の位置に取り付けられる基板として機能するように構成されている。
【００３５】
背面パネル２２は、複数の展示用物品群ｂ１，ｂ２，…ｂ９のそれぞれに対応した色、柄、形状を有して、ベース１９に取り付けられていてもよく、また、展示用物品群ｂ１，ｂ２，…ｂ９の全部又はその一部に対応した色、柄、形状としてベース１９に取り付けられていてもよい。
【００３６】
ステージ２５は、光透過性部材からなり、背面パネル２２に取り付けられ、展示用物品Ｂが所定の個数だけ並べて展示されると共に、展示用物品Ｂに関する情報（価格、温冷等）を表示する表示部２６を有する。
【００３７】
〔照明装置３の動作〕
各ＬＥＤ４０、４１に電源から電圧が印加されると、各ＬＥＤから照明光（例えば白色光）が放射される。
【００３８】
第１の基板２０上に実装されたＬＥＤ４０からは、上方向から前面パネル７方向へ略３０°の傾斜角度でＬＥＤ光が放射される。放射されたＬＥＤ光は、展示用物品Ｂに下方向から入射し、半円筒または円筒形の展示用物品Ｂ（販売用物品を示す情報が表面に印刷表示された光透過性部材）、及び前面パネル７（電照板）を透過して物品視認者側に出射される。
【００３９】
また、ＬＥＤ４０から放射されるＬＥＤ光は、所定の放射角を有して拡散する光であるので、ステージ２５に取り付けられた表示部２６、及び、前面パネル７に取り付けられた物品選択用の押釦８を透過して物品視認者側に出射される。物品選択用の押釦８は、釦の周囲が光透過性部材で構成されているので、釦の周囲をＬＥＤ光がよく透過して、いわゆる輪郭照明がなされる。
【００４０】
第２の基板２１上に実装されたＬＥＤ４１からは、下方向から背面パネル２２方向へ略４５°の傾斜角度でＬＥＤ光が放射される。放射されたＬＥＤ光は、背面パネル２２を照射し、そこで反射した光は、前面パネル７（電照板）を透過して物品視認者側に出射される。
【００４１】
上記の照明装置３の動作においては、展示用物品群ｂ１，ｂ２，…ｂ９のそれぞれに対応して、照明光の色、強度等を異なるようにすることもでき、また、時間と共に照明光の色、強度等が変化するように制御ユニット６でコントロールすることもできる。また、展示用物品を３個ないし４個を１ユニットとして制御することもできる。
【００４２】
［実施の形態の効果］
以上説明した実施の形態によれば、次に示す効果が得られる。
（１）本実施の形態に係る照明装置では、主に展示用物品Ｂを照明する第１の基板２０に実装されたＬＥＤ４０が、展示用物品Ｂをより効果的に照明できる傾斜角度に設定されているので、従来の照明装置のように漠然と全体照明を施すものと比較して、限られた数のＬＥＤで効率よく必要な場所、すなわち、展示用物品Ｂを照明できるという効果を有する。
【００４３】
（２）また、背面パネル２２を照明する第２の基板２１に実装されたＬＥＤ４１は、背面パネル２２を最適に照明できる傾斜角度、ＬＥＤの光強度等を最適設定できるので、従来の照明装置のように漠然と全体照明を施すものと比較して、限られた数のＬＥＤで効率よく背面パネル２２を照明できるという効果を有する。
【００４４】
（３）本実施の形態に係る照明装置は、主に展示用物品Ｂを照明する第１の照明部と背面パネル２２を照明する第２の照明部がそれぞれ所定の傾斜角度に設定された状態で、一体的に構成されているので、自動販売機への組み立て性に優れると共に、メンテナンス性にも優れるという効果を有する。
【００４５】
（４）本実施の形態に係る照明装置では、照明手段として、ＬＥＤを使用し、ＬＥＤの個数を展示用物品Ｂの数に対応したものにしているので、照明時に制御ユニット６により、照明光の色、強度等を変化させたり、点滅動作をさせたりできる。また、展示用物品群ｂ１，ｂ２，…ｂ９のそれぞれに対応して、上記のような照明コントロールができるので、物品視認者の視覚に訴えるイルミネーション効果を持たせることが可能となる。また、展示用物品を３個ないし４個を１ユニットとして交互に制御することにより、イルミネーション効果と省エネ効果が得られる。
【００４６】
（５）第１の基板２０に実装されたＬＥＤ４０から放射されるＬＥＤ光により、展示用物品Ｂだけではなく、ステージ２５に取り付けられた表示部２６の照明、及び、前面パネル７に取り付けられた物品選択用の押釦８の輪郭照明が可能となるので、押釦８及び表示部２６に専用の照明装置が不要になり、コストの低廉化を図ることが可能となる。
【図面の簡単な説明】
【００４７】
【図１】本発明の実施の形態に係る展示用物品の照明装置を備えた自動販売機の全体を示す正面図である。
【図２】本発明の実施の形態に係る展示用物品の照明装置を備えた自動販売機の全体を示すブロック図である。
【図３】本発明の実施の形態に係る展示用物品の照明装置を説明するために示す図であり、（ａ）は、展示スペースの前面側から見た正面図であり、（ｂ）は、同じく展示スペースを側面側から見た断面図である。
【図４】本発明の実施の形態に係る展示用物品の照明装置の外観を示す斜視図である。
【符号の説明】
【００４８】
１…自動販売機
２…販売機本体
３…照明装置
４…筐体
５…物品払出ユニット
６…制御ユニット
７…前面パネル
８…押釦
９…展示スペース
１２…紙幣挿入口
１３…硬貨投入口
１４…釣銭返却口
１５…物品払出口
１６…返却レバー
１７…表示器
１８…ドアロック
１９…ベース
２０…第１の基板
２１…第２の基板
２２…背面パネル
２３…カバー
２５…ステージ
２６…表示部
２７…リフレクトケース
３０…取付けベース材
４０、４１…ＬＥＤ
Ｂ…展示用物品
ｂ１，ｂ２，ｂ３，ｂ４，ｂ５，ｂ６，ｂ７，ｂ８，ｂ９…展示用物品群
【図１】
2008027034.tif 000003
【図２】
2008027034.tif 000004
【図３】
2008027034.tif 000005
【図４】
2008027034.tif 000006